(57)【要約】【課題】コンピューター等の種類やプロジェクター等の設置場所に関わらず相互間で通信の確立が容易であり、プロジェクター等にコンピューター等からの情報コンテンツを簡易に表示させることができる画像表示システムを提供すること。【解決手段】この画像表示システム２００では、設定端末１３が、プロジェクター１１の通信に関する設定情報を取り込むことができ、コンピューター１２は、データ通信インターフェース等を介して設定端末１３から設定情報を取得するので、コンピューター１２は、設定端末１３を媒介とする設定情報に基づいて、様々なコンピューター１２とプロジェクター１１との間で接続を簡易に成立させ、延いてはこれら相互間で通信を簡易に確立することができる。【選択図】図１
2011123637.tif 000002
【特許請求の範囲】
【請求項１】
画像を表示する画像表示装置と、
前記画像表示装置に表示させるための画像情報を供給する画像供給装置と、
前記画像表示装置に付随して設けられ、前記画像表示装置の通信に関する設定情報を取り込む設定端末と、を備え、
前記設定端末は、前記設定情報を提供する出力部を有し、
前記画像供給装置は、前記設定情報の入力部を有し、前記入力部を介して取得した前記設定端末からの前記設定情報に基づいて前記画像表示装置との間で通信のための接続を成立させる、
画像表示システム。
【請求項２】
前記設定端末は、前記画像表示装置の設置場所の周辺に固定的に設置される、請求項１に記載の画像表示システム。
【請求項３】
前記設定端末は、前記設定情報を保存する設定情報保存部を有する、請求項１及び請求項２のいずれか一項に記載の画像表示システム。
【請求項４】
前記設定端末は、前記出力部を介して情報記録メディアに前記設定情報を出力し、前記画像供給装置は、前記入力部を介して前記情報記録メディアから前記設定情報を受け取る、請求項１から請求項３までのいずれか一項に記載の画像表示システム。
【請求項５】
前記設定端末は、前記設定情報に基づいて前記画像供給装置の通信設定を行うプログラムを前記情報記録メディアに保管する、請求項４に記載の画像表示システム。
【請求項６】
前記画像表示装置は、前記設定端末からの要求に応じて前記設定情報を前記設定端末に伝送する、請求項１から請求項５までのいずれか一項に記載の画像表示システム。
【請求項７】
画像を投射する画像表示装置と、前記画像表示装置に表示させるための画像情報を供給する画像供給装置との間で通信のための接続を成立させるための設定を行う通信設定方法であって、
前記画像表示装置に付随して設けられた設定端末に前記画像表示装置の通信に関する設定情報を取り込ませる工程と、
前記設定端末に取り込んだ前記設定情報を前記画像供給装置に取り込ませる工程と、
前記設定端末より取り込んだ前記画像表示装置の前記設定情報に基づいて前記画像供給装置に通信のための接続の設定を行う工程と、を備える、
通信設定方法。
【請求項８】
画像を投射する画像表示装置に付随して前記画像表示装置の設置場所の周辺に設置される設定端末であって、
前記画像表示装置と通信するとともに、前記画像表示装置の通信に関する設定情報を前記画像表示装置から取り込む通信部と、
前記設定情報を画像供給装置に付与するための出力部と、を備える、
設定端末。
【発明の詳細な説明】
【技術分野】
【０００１】
本発明は、画像供給装置の供給する画像情報を画像表示装置に表示させる画像表示システム、並びにこのシステムで活用される通信設定方法及び設定端末に関する。
【背景技術】
【０００２】
近年、ネットワーク技術の普及に伴い、ネットワーク型の画像表示システムが開発されている。かかる画像表示システムとして、例えば、ＲＦＩＤタグ部及び無線ＬＡＮ部を備えるプロジェクターと、リード／ライト部及び無線ＬＡＮ部を備えるコンピューターとを備えるものが開示されている（特許文献１）。この画像表示システムでは、プロジェクターのＲＦＩＤタグ部からコンピューターのリード／ライト部にタグ情報が送信され、コンピューターでは、受信したタグ情報に基づいて無線ＬＡＮ部に対してネットワーク設定を自動的に行う。これにより、無線ＬＡＮを介してコンピューターとプロジェクターとの間で通信が確立し、コンピューターのコンテンツをプロジェクターに対して送信することができる。
【先行技術文献】
【特許文献】
【０００３】
【特許文献１】特開２００７−１８４８５８号公報
【発明の概要】
【発明が解決しようとする課題】
【０００４】
しかしながら、上記画像表示システムでは、コンピューターにリード／ライト部を設ける必要があり、予めリード／ライト部を設けたコンピューターのみしかシステムに組み込むことができない。しかも、ＲＦＩＤタグに保管できる情報はあまり多くなく、様々な仕様のコンピューターとの間で接続を成立させることは容易でない。
【０００５】
また、上記画像表示システムでは、ＲＦＩＤタグ部とリード／ライト部とを所定以下の距離に近づける必要があり、プロジェクターの設置場所によっては、タグ情報の取り込みが困難になって、接続の設定すなわち通信の確立も困難になる。
【０００６】
そこで、本発明は、コンピューター等の種類やプロジェクター等の設置場所に関わらず相互間で容易に接続を成立させることができるとともに、プロジェクター等にコンピューター等から提供される画像情報を簡易に表示させることができる画像表示システムを提供することを目的とする。
【０００７】
また、本発明は、上記のような画像表示システムで活用される通信設定方法、及び設定端末を提供することを目的とする。
【課題を解決するための手段】
【０００８】
上記課題を解決するため、本発明に係る画像表示システムは、画像を表示する画像表示装置と、画像表示装置に表示させるための画像情報を供給する画像供給装置と、画像表示装置に付随して設けられ、画像表示装置の通信に関する設定情報を取り込む設定端末とを備える。そして、設定端末は、設定情報を提供する出力部を有し、画像供給装置は、設定情報の入力部を有し、入力部を介して取得した設定端末からの設定情報に基づいて画像表示装置との間で通信のための接続を成立させる。なお、画像表示装置は、例えば画像を投射するプロジェクターを意味し、画像供給装置は、例えばノート型その他のコンピューターを意味する。また、設定端末は、画像表示装置から離れた場所に設置することを前提とするが、通常ユーザーがアクセスしやすい場所に設置することが望ましい。
【０００９】
上記画像表示システムによれば、設定端末が画像表示装置の通信に関する設定情報を取り込むことができ、画像供給装置が設定端末から入力部を介して設定情報を取得するので、画像供給装置は、設定端末を介して取得した設定情報に基づいて、画像表示装置との間で接続を簡易に成立させ、延いては画像表示装置との間に通信を簡易に確立することができる。つまり、様々な仕様の画像供給装置によって準備された画像情報に対応する画像を画像表示装置に簡易に表示させることができる。
【００１０】
本発明の具体的な側面では、上記画像表示システムにおいて、設定端末が画像表示装置の設置場所の周辺に固定的に設置される。この場合、画像表示装置を設置した部屋の壁等に設定端末が固定的に取り付けられることになり、ユーザーが設定端末にアクセスしやすくなり、設定端末の紛失等のトラブル発生を抑えることができる。
【００１１】
本発明の別の側面では、設定端末が設定情報を保存する設定情報保存部を有する。この場合、設定端末に設定情報を保持した状態にできるので、より迅速・確実に画像表示装置に設定情報を取り込ませることができる。
【００１２】
本発明のさらに別の側面では、設定端末が出力部を介して情報記録メディアに設定情報を出力し、画像供給装置が入力部を介して情報記録メディアから設定情報を受け取る。この場合、ポータブルな情報記録メディアを介在させて、設定端末から画像表示装置に設定情報を転送することができる。
【００１３】
本発明のさらに別の側面では、設定端末が設定情報に基づいて画像供給装置の通信設定を行うプログラムを情報記録メディアに保管する。この場合、画像供給装置において、プログラムに基づいて自動的に通信設定を行うことができ、画像供給装置と画像表示装置との間の接続成立がより容易になる。
【００１４】
本発明のさらに別の側面では、画像表示装置が設定端末からの要求に応じて設定情報を設定端末に伝送する。この場合、画像表示装置の通信に関する設定情報を随時更新して設定端末に保持することができる。
【００１５】
本発明に係る通信設定方法は、画像を投射する画像表示装置と、画像表示装置に表示させるための画像情報を供給する画像供給装置との間で通信のための接続を成立させるための設定を行う通信設定方法であって、画像表示装置に付随して設けられた設定端末に画像表示装置の通信に関する設定情報を取り込ませる工程と、設定端末に取り込んだ設定情報を画像供給装置に取り込ませる工程と、設定端末より取り込んだ画像表示装置の設定情報に基づいて画像供給装置に通信のための接続の設定を行う工程とを備える。
【００１６】
上記通信設定方法によれば、設定端末に取り込んだ設定情報を画像供給装置に取り込ませ、この設定情報に基づいて画像供給装置に情報通信の設定を行うので、画像供給装置の種類や画像表示装置の設置場所に関わらず、これら相互間で簡単に接続の成立すなわち通信の確立を図ることができる。
【００１７】
本発明に係る設定端末は、画像を投射する画像表示装置に付随して画像表示装置の設置場所の周辺に設置される設定端末であって、画像表示装置と通信するとともに、画像表示装置の通信に関する設定情報を画像表示装置から取り込む通信部と、設定情報を画像供給装置に付与するための出力部とを備える。
【００１８】
上記設定端末によれば、通信部が設定情報を画像表示装置から取り込み、出力部が設定情報を画像供給装置に付与するので、画像供給装置は、この設定情報に基づいて通信のための接続の設定を行うことができる。つまり、設定端末を介在させることにより、画像供給装置の種類や画像表示装置の設置場所に関わらず、これら相互間で簡単に接続の成立すなわち通信の確立を図ることができる。
【図面の簡単な説明】
【００１９】
【図１】実施形態の画像表示システムの概略構成を示す図である。
【図２】プロジェクターの構造を示すブロック図である。
【図３】コンピューターの構造を示すブロック図である。
【図４】設定端末の構造を示すブロック図である。
【図５】ＵＳＢメモリーの構成を示すブロック図である。
【図６】（Ａ）、（Ｂ）は、プロジェクターと設定端末との間で行われる処理の流れを説明する図である。
【図７】（Ａ）、（Ｂ）は、プロジェクターと設定端末との間で行われる処理の変形例を説明する図である。
【図８】（Ａ）〜（Ｃ）は、画像表示システムで行われる処理の流れを説明する図である。
【発明を実施するための形態】
【００２０】
以下、図面を参照して、本発明の一実施形態に係る画像表示システムについて詳細に説明する。
【００２１】
〔Ａ．画像表示システムの概要〕
図１に示す画像表示システム２００は、コンピューターによって準備された画像をネットワーク型プロジェクターを用いて表示することができるシステムであり、画像表示装置としてのプロジェクター１１と、画像供給装置としてのコンピューター１２と、これらの間の接続を支援する設定端末１３とを備える。プロジェクター１１は、室内の天井ＣＥから吊り下げられた状態で固定されており、コンピューター１２は、机ＤＥ上に載置されており、設定端末１３は、壁面ＷＡに埋め込むように固定的に設置されている。
【００２２】
ここで、プロジェクター１１と設定端末１３との間では、予め無線ＬＡＮによって接続が成立しており、例えばアクセスポイントを介さずにアドホックモードでの通信が可能である。また、コンピューター１２と設定端末１３とは、例えば情報記録メディアであるＵＳＢメモリー１４等を介して間接的にデータの授受が可能であり、或いは情報伝送ケーブルであるＵＳＢケーブル１５を介して直接的にデータの授受が可能である。さらに、プロジェクター１１とコンピューター１２との間では、当初相互間の接続が確立していない状態であるが、コンピューター１２側において設定端末１３から得た通信に関する設定情報に基づいて通信の設定処理（具体的には、ネットワーク通信の設定処理）を行うことで、無線ＬＡＮによって相互間の接続が成立する。この場合、プロジェクター１１とコンピューター１２との間で、例えばアドホックモードでの通信が可能である。なお、プロジェクター１１とコンピューター１２との間で通信が確立している場合、プロジェクター１１は、コンピューター１２から無線ＬＡＮ等を介して画像情報としての画像データを受け取って、スクリーンＳＣ上に対応する画像を投射することができる。
【００２３】
なお、プロジェクター１１と設定端末１３との通信方法は、上述の形態に限られるものではなく、使用環境や求められる通信速度等に応じて、種々の通信方法の利用が可能である。例えば、プロジェクター１１と設定端末１３とは、無線ＬＡＮのアクセスポイントを介したインフラモードでの無線通信を行ってもよい。また、上記無線方式に限らず、赤外線を利用した通信を行わせることもできる。さらに、上記無線方式や赤外線方式に限らず、有線ＬＡＮ等その他の有線方式により通信を行わせることもできる。
【００２４】
また、プロジェクター１１とコンピューター１２との通信方法は、上述の形態に限られるものではなく、使用環境や求められる通信速度等に応じて、種々の通信方法の利用が可能である。例えば、プロジェクター１１とコンピューター１２とは、無線ＬＡＮのアクセスポイントを介したインフラモードで無線通信を行ってもよい。また、上記無線方式に限らず、例えば、イーサネット（登録商標）、ファイヤーワイヤー（登録商標）、ファイバーチャネル、ＰＬＣ（Power Line Communications）等を含む、有線ＬＡＮその他の有線方式により通信を行わせることもできる。
【００２５】
〔Ｂ．プロジェクターの構成〕
図２に示すように、プロジェクター１１は、ＣＰＵ３０、ＲＯＭ３６、ＲＡＭ３７、ＥＥＰＲＯＭ４０、キー入力処理部５１、入力選択部５４、画像処理部６１、映像出力部６２、映像投射部６３、無線インターフェース６７、ネットワークインターフェース６８、及びデータ通信インターフェース６９を備えており、画像処理部６１に接続される映像出力部６２及び映像投射部６３を除いて、それぞれがバスを介して接続されている。
【００２６】
ＣＰＵ３０は、ＲＯＭ３６に記憶されたプログラムをＲＡＭ３７に展開して実行することで、プロジェクター１１の機能全体を制御するほか、設定情報送信部３１、更新監視部３２、及び接続部３４として機能する。これらの機能部の詳細については、後述する。
【００２７】
ＥＥＰＲＯＭ４０は、書き換え可能な不揮発性メモリーであり、プロジェクター１１の出荷時には、無線ＬＡＮ用のデフォルトの設定情報として、例えばＳＳＩＤ（Service Set Identifier）４１と、プロジェクター名４２と、ＭＡＣアドレス４３とが記憶されている。ＳＳＩＤ４１、プロジェクター名４２、ＭＡＣアドレス４３等は、ネットワーク接続の成立に必要な設定情報であり、具体的にはプロジェクター１１とコンピューター１２とが無線ＬＡＮのアドホックモードで接続を成立させるために必要な情報となっている。ＥＥＰＲＯＭ４０は、以上のようなＳＳＩＤ４１等の設定情報を、設定端末１３に転送し最終的には室内に新たに搬入されたコンピューター１２等に配布するために、更新可能に保持している。
【００２８】
キー入力処理部５１は、ユーザーの指示を入力するためのものであり、移動キー、決定キー等の複数の操作キーを有しており、ＵＩとしてのディスプレイを付随させることもできる。キー入力処理部５１に付随してリモコン受光部５２が設けられており、リモコン２１から無線で遠隔的に指令信号を受け取ることができるようになっている。入力選択部５４は、コネクター５５に接続された外部装置（不図示）のいずれから画像信号を受け取るかを選択するためのものである。
【００２９】
画像処理部６１は、入力選択部５４、無線インターフェース６７等を介して外部から入力された画像信号又は画像データに対して色補正、歪補正等を含む各種補正を行うことや、外部からの画像信号等に代えて或いは重畳して文字情報等を表示する画像信号を形成することができる。映像出力部６２は、画像処理部６１から出力された画像処理後の画像信号に基づいて、映像投射部６３に画像を投射させる。映像投射部６３は、例えば照明装置、ＲＧＢの各色用の液晶ライトバルブ、合成プリズム、投射レンズ等を備えており、各色の液晶ライトバルブを透過した光を合成して投射することで、図１のスクリーンＳＣ上にカラー画像を表示する。なお、映像投射部６３は、液晶式に限らず、デジタル・マイクロミラー・デバイス方式、ＬＣＯＳ方式、ＧＬＶ方式、ＣＲＴ方式など、種々の方式を用いることができる。
【００３０】
無線インターフェース６７は、この場合、アドホックモードでの無線通信を行うためのインターフェース回路であり、設定端末１３やコンピューター１２とピアツーピア接続を行うことができる。ネットワークインターフェース６８は、プロジェクター１１を有線ＬＡＮ等に接続する場合に用いるインターフェース回路である。データ通信インターフェース６９は、例えばＵＳＢコネクター等を有するインターフェース回路であり、ＵＳＢメモリー１４やＵＳＢケーブル１５を接続することができる。
【００３１】
なお、プロジェクター１１を図１に示すような設置場所に固定した場合、ユーザーは、プロジェクター１１に直接触れて操作することが容易でなくなり、ＵＳＢメモリー１４をデータ通信インターフェース６９に装着することも容易でなくなる。
【００３２】
〔Ｃ．コンピューターの構成〕
図３に示すように、コンピューター１２は、例えばノート型コンピューターであり、ＣＰＵ８０、ハードディスクドライブ８５、ＲＯＭ８６、ＲＡＭ８７、入力機構９１、ＶＲＡＭ１０１、グラフィックコントローラー１０３、ディスプレイ１０７、無線インターフェース１１１、ネットワークインターフェース１１３、及びデータ通信インターフェース１１５を備えており、グラフィックコントローラー１０３に接続されるディスプレイ１０７を除いて、それぞれがバスを介して接続されている。
【００３３】
ＣＰＵ８０は、ハードディスクドライブ８５やＲＯＭ８６に記憶されたファームウェアやＯＳをＲＡＭ８７に展開して実行することで、コンピューター１２の制御を司る。また、ＣＰＵ８０は、ハードディスクドライブ８５に記憶されたプログラムや、外部から取り込んだ設定処理用及び投射処理用の設定・投射プログラム等を含む各種プログラムを実行することで、接続部８１、画像送信部８２等として機能する。ここで、接続部８１は、コンピューター１２とプロジェクター１１との間で情報通信のための接続を成立させる設定処理を行う部分であり、画像送信部８２は、上記設定処理で成立した接続を利用してコンピューター１２で選択又は生成した画像をプロジェクター１１に投射させる投射処理を行う部分である。これらの機能部の詳細については、後述する。
【００３４】
入力機構９１は、キーボードとポインティングデバイス（例えばマウス）からなる。グラフィックコントローラー１０３は、ＶＲＡＭ１０１をバッファとして使用して、ディスプレイ１０７に表示すべき画像信号を形成する。
【００３５】
無線インターフェース１１１は、この場合、アドホックモードでの無線通信を行うためのインターフェース回路であり、プロジェクター１１とピアツーピア接続を行うことができる。ネットワークインターフェース１１３は、コンピューター１２を有線ＬＡＮ等に接続する場合に用いるインターフェース回路である。データ通信インターフェース１１５は、例えばＵＳＢポート（すなわちＵＳＢコネクター）等を有するインターフェース回路であり、ＵＳＢメモリー１４やＵＳＢケーブル１５を接続することができる。このデータ通信インターフェース１１５は、設定端末１３から提供される通信に関する設定情報の入力部として機能し、設定端末１３からＵＳＢメモリー１４等を経由して通信に関する設定情報を受け取ることができる。
【００３６】
〔Ｄ．設定端末の構成〕
図４に示すように、設定端末１３は、ＣＰＵ７１、ＲＯＭ７２、ＲＡＭ７９、キー検出部７３、フラッシュメモリー７４、無線インターフェース７５、ネットワークインターフェース７６、及びデータ通信インターフェース７７を備えており、それぞれがバスを介して接続されている。この設定端末１３は、画像表示システム２００において、プロジェクター１１の設定情報を保持して新たに室内に搬入されたコンピューター１２等に対してこの設定情報を配布するための情報配信端末として活用される。
【００３７】
ＣＰＵ７１は、ＲＯＭ７２に記憶されたプログラムをＲＡＭ７９に展開して実行することで、設定端末１３の機能全体を制御するほか、設定情報要求部７１ａ、設定情報書込部７１ｂ、及び設定情報送信部７１ｃとして機能する。これらの機能部の詳細については、後述する。
【００３８】
キー検出部７３は、プロジェクター１１の利用開始を希望するコンピューター１２のユーザー等が操作するためのものであり、ＵＩとしてのディスプレイを付随させることもできる。キー検出部７３は、プロジェクター１１からその設定情報を設定端末１３に取り込んで更新する際や、設定端末１３に既に保管されているプロジェクター１１の設定情報をコンピューター１２に転送する目的でＵＳＢメモリー１４に出力する際に操作される。
【００３９】
フラッシュメモリー７４は、書き換え可能な不揮発性メモリーであり、システム領域７４ａ及び設定情報格納領域７４ｂを備えている。システム領域７４ａは、ファイルシステム情報やパーティション情報など、設定端末１３の機能制御に関するファイルや、端末ＩＤやロケーションといった設定端末１３の識別情報を格納する領域である。設定情報格納領域７４ｂは、プロジェクター１１の通信に関する設定情報を保存する設定情報保存部として機能する。すなわち、設定情報格納領域７４ｂは、プロジェクター１１とコンピューター１２とがアドホックモード等で接続を成立させるためコンピューター１２で必要となる設定情報と、コンピューター１２で設定・投射プログラムをインストールするために必要となるインストール情報とを格納する領域である。具体的には、設定情報格納領域７４ｂは、設定端末１３にＵＳＢメモリー１４やＵＳＢケーブル１５を接続した際にこれらに転送される情報であって、例えばＵＳＢメモリー１４を装着した場合、ＵＳＢメモリー１４のフラッシュメモリー１４０のうち設定情報格納領域１４４に格納されるべき設定情報と、ＣＤ−ＲＯＭ領域１４３に格納されるべきインストール情報とを保持している。
【００４０】
無線インターフェース７５は、この場合、アドホックモードでの無線通信を行うためのインターフェース回路であり、プロジェクター１１とピアツーピア接続を行っている。この無線インターフェース７５は、プロジェクター１１から通信に関する設定情報を取り込むための通信部としての役割を有する。ネットワークインターフェース７６は、設定端末１３を有線ＬＡＮ等に接続する場合に用いるインターフェース回路である。データ通信インターフェース７７は、例えばＵＳＢポート（すなわちＵＳＢコネクター）等を有するインターフェース回路であり、１つ以上のＵＳＢメモリー１４やＵＳＢケーブル１５を接続することができる。このデータ通信インターフェース７７は、新たに室内に搬入されたコンピューター１２等のために通信に関する設定情報を提供する出力部として機能し、ＵＳＢメモリー１４等に通信に関する設定情報等を送り出すことができる。
【００４１】
〔Ｅ．ＵＳＢメモリーの構成〕
図５に示すように、ＵＳＢメモリー１４は、ポータブルな記録装置であり、データ通信インターフェース１２５、ＣＰＵ１３０、及びフラッシュメモリー１４０を備えており、それぞれがバスで接続されている。ＵＳＢメモリー１４は、一般的なＵＳＢメモリーで構成されており、画像表示システム２００において、データの一時的な保管用の情報記録メディアとして活用される。ＵＳＢメモリー１４は、例えばコンピューター１２のユーザーがプロジェクター１１を設置した室内にコンピューター１２とともに持ち込むことができる。
【００４２】
データ通信インターフェース１２５は、ＵＳＢコネクター等を有するインターフェース回路であり、設定端末１３のデータ通信インターフェース７７やコンピューター１２のデータ通信インターフェース１１５に接続することができる。
【００４３】
フラッシュメモリー１４０は、書き換え可能な不揮発性メモリーであり、システム領域１４２、ＣＤ−ＲＯＭ領域１４３、設定情報格納領域１４４、及びデータ格納領域１４６を備えている。システム領域１４２は、ファイルシステム情報やパーティション情報など、ＵＳＢメモリー１４の機能制御に関するファイルや、プロダクトＩＤ、ベンダＩＤといったＵＳＢメモリー１４の識別情報が格納されている。
【００４４】
ＣＤ−ＲＯＭ領域１４３には、ＵＳＢメモリー１４をコンピューター１２のデータ通信インターフェース１１５に接続した際に、コンピューター１２のＣＰＵ８０に、ＣＤ−ＲＯＭが挿入されたと認識させて、自動起動を行うための自動起動スクリプト１４３ａが格納されている。また、ＣＤ−ＲＯＭ領域１４３には、自動起動プログラム１４３ｂが格納されている。自動起動プログラム１４３ｂは、自動起動スクリプト１４３ａ中で実行が指定されるプログラムであり、その詳細については、後述する。
【００４５】
設定情報格納領域１４４は、プロジェクター１１とコンピューター１２とがアドホックモード等で接続を成立させるためコンピューター１２に必要な設定情報を格納する領域であり、補助的な設定情報保存部として機能する。設定情報格納領域１４４に保管されるべき情報は、プロジェクター１１のＥＥＰＲＯＭ４０に記憶されたＳＳＩＤ４１等の設定情報であり、コンピューター１２においてネットワーク接続用のための環境設定を行って、プロジェクター１１との間で通信のための接続を成立させるために不可欠のものである。
【００４６】
データ格納領域１４６は、所望のデータファイルを格納可能な領域であり、例えば、所望の文書ファイルや画像ファイルを格納することができる。この領域を有していることから、ＵＳＢメモリー１４は、コンピューター１２とプロジェクター１１との通信のための接続成立（具体的には、ネットワークの自動的な設定処理）の用途の他に、会議用資料、プレゼン用資料など、所望のファイルを保存する一般的なＵＳＢメモリーの使用にも供することができる。
【００４７】
なお、ＵＳＢメモリー１４は、一般的なＵＳＢメモリーで構成されており、フラッシュメモリー１４０中のＣＤ−ＲＯＭ領域１４３や設定情報格納領域１４４は、後述するように設定端末１３に接続した際に、設定端末１３から出力される情報に基づいて書き込まれる。つまり、設定端末１３に新規に接続される前のＵＳＢメモリー１４の場合、ＣＤ−ＲＯＭ領域１４３や設定情報格納領域１４４は、ブランクの状態となっている。
【００４８】
〔Ｆ．設定情報の送受信〕
予め、図６（Ａ）及び６（Ｂ）を参照して、画像表示システム２００のうちプロジェクター１１と設定端末１３との間で事前に又は背景的に行われる設定情報の送受信について説明する。
【００４９】
図６（Ａ）を参照して、まずプロジェクター１１側の動作について説明する。ここで、プロジェクター１１と設定端末１３との間では、無線インターフェース６７，７５を介して予めピアツーピア接続が成立しており、アドホックモードでの無線通信が確立しているものとする。プロジェクター１１のＣＰＵ３０は、設定端末１３から設定情報の送信を要求する情報要求があったか否かを定期的にチェックしている（ステップＳ１１）。ＣＰＵ３０は、設定端末１３から情報要求があったと判断した場合（ステップＳ１１：Ｙ）には、情報要求に応答するジョブを実行する。すなわち、ＣＰＵ３０は、ＥＥＰＲＯＭ４０を参照して、ネットワーク接続用の設定情報としてＳＳＩＤ４１、プロジェクター名４２、及びＭＡＣアドレス４３を読み出すとともに、送信用のデータに加工して、ＲＡＭ３７等に一時的に保管する（ステップＳ１２）。その後、ＣＰＵ３０は、設定情報送信部３１の処理として、ＳＳＩＤ４１等のネットワーク接続用の設定情報を含むデータを、無線インターフェース６７，７５を介して設定端末１３に送信する（ステップＳ１３）。
【００５０】
図６（Ｂ）を参照して、設定端末１３側の動作について説明する。設定端末１３のＣＰＵ７１は、例えばユーザーによるキー検出部７３の操作に応じて、設定情報要求部７１ａの処理として、プロジェクター１１に対して設定情報の送信を要求する情報要求のコマンドを送信する（ステップＳ２１）。なお、図示のステップＳ２１における処理の記述中、略語「ＰＪ」はプロジェクターを意味するものとする。ＣＰＵ７１は、プロジェクター１１から設定情報の返信があったか否かをチェックしており（ステップＳ２２）、プロジェクター１１から設定情報の返信があったと判断した場合（ステップＳ２２：Ｙ）には、設定情報書込部７１ｂの処理として、受信したデータをネットワーク接続に必要な設定情報としてフラッシュメモリー７４に書き込み、フラッシュメモリー７４は、書き込まれた設定情報を設定情報格納領域７４ｂに保管する（ステップＳ２３）。なお、ネットワーク接続に必要な設定情報には、プロジェクター１１とコンピューター１２とがアドホックモードで接続を成立させるための設定情報のみならず、コンピューター１２で設定・投射プログラムをインストールして設定情報に対応する環境設定や画像の転送を行うためのインストール情報も含まれている。インストール情報は、予め設定端末１３の設定情報格納領域７４ｂを拡張した部分に保持しておくこともできるが、プロジェクター１１から設定端末１３に随時受け取ることもできる。
【００５１】
以下、図７（Ａ）及び７（Ｂ）を参照して、図６（Ａ）及び６（Ｂ）に示す動作の変形例を説明する。
【００５２】
図７（Ａ）に示すように、プロジェクター１１のＣＰＵ３０は、更新監視部３２の処理として、ネットワーク接続用の設定情報が変更されて更新される操作が行われたか否かを定期的にチェックしている（ステップＳ１１１）。ＣＰＵ３０は、ネットワーク接続用の設定情報が変更され更新が確定したと判断した場合（ステップＳ１１１：Ｙ）には、更新監視部３２の処理として、更新されたネットワーク接続用の設定情報をＥＥＰＲＯＭ４０の適当な記憶領域に保管するとともに、このネットワーク接続用の設定情報を含むデータを、無線インターフェース６７，７５を介して設定端末１３に送信する（ステップＳ１１２）。その後、プロジェクター１１は、通信動作を一旦リセットとして新たな設定情報に基づいてネットワーク接続環境を立ち上げる（ステップＳ１１３）。
なお、ネットワーク接続用の設定情報が更新される場合には、例えばＳＳＩＤ４１の変更、暗号化の設定変更、プロジェクター名の変更等が含まれる。また、有線ＬＡＮでの通信の場合、設定情報の更新には、ＩＰアドレスの変更等が含まれる。設定情報の更新は、例えばリモコン２１の操作によって遠隔的に行うことができる。或いは、データ通信インターフェース６９に特殊な機能を有するＵＳＢメモリーを差し込むことによっても、接続の設定の更新を行うことができる。
【００５３】
図７（Ｂ）を参照して、設定端末１３側の動作について説明する。設定端末１３は、プロジェクター１１から更新された設定情報の受信を確認した場合（ステップＳ２１１：Ｙ）、この更新された設定情報を設定情報格納領域７４ｂに保管する（ステップＳ２１２）。その後、設定端末１３は、必要ならば通信動作を一旦リセットとし、新たな設定情報に基づいてネットワーク接続環境を立ち上げる（ステップＳ２１３）。
【００５４】
〔Ｇ．接続・投射処理〕
画像表示システム２００における接続・投射処理について図８（Ａ）〜８（Ｃ）を用いて説明する。接続・投射処理とは、新たにシステムに持ち込んだコンピューター１２に対して、既にシステム内に存在するプロジェクター１１とアドホックモードでの無線通信等を行うための設定を簡単な操作だけで可能にするとともに、コンピューター１２で選択又は生成した画像をプロジェクター１１に投射させるための処理である。この処理は、図１に示すように、例えばユーザーが例えばＵＳＢメモリー１４を設定端末１３に一旦接続した後に、このＵＳＢメモリー１４を設定端末１３からコンピューター１２に差し替えて接続することで実行される。
【００５５】
図８（Ａ）を参照して、まず設定端末１３側の動作について説明する。設定端末１３は、例えばユーザーがＵＳＢメモリー１４を設定端末１３のデータ通信インターフェース７７のコネクターに差し込んだ場合、自動的に或いはユーザーによるキー検出部７３の操作に応じて、設定情報の転送処理を開始する。
【００５６】
設定情報の転送処理が開始された場合、設定端末１３のＣＰＵ７１は、まずフラッシュメモリー７４の設定情報格納領域７４ｂを参照して、ネットワーク接続用の設定情報が保管されているか否かを確認する（ステップＳ３１）。なお、図示のステップＳ３１における処理の記述中、略語「ＰＪ」はプロジェクターを意味するものとする。その結果、設定情報格納領域７４ｂに設定情報が保管されていれば（ステップＳ３１：Ｙ）、再度設定情報を保管する必要はないため、処理を後述するステップＳ３５に進める。一方、設定情報格納領域７４ｂに設定情報が保管されていなければ（ステップＳ３１：Ｎ）、ＵＳＢメモリー１４に設定情報を送信することができないので、ＣＰＵ７１は、設定情報要求部７１ａの処理として、プロジェクター１１に対して設定情報の送信を要求する情報要求のコマンドを送信する（ステップＳ３２）。ＣＰＵ７１は、プロジェクター１１から設定情報の返信があったか否かをチェックしている（ステップＳ３３）。このときのプロジェクター１１の動作は、図６（Ａ）に示すものと同様となる。設定端末１３において、ＣＰＵ７１は、プロジェクター１１から設定情報の返信があったと判断した場合（ステップＳ３３：Ｙ）には、設定情報書込部７１ｂの処理として、受信したデータをネットワーク接続に必要な設定情報としてフラッシュメモリー７４に書き込み、フラッシュメモリー７４は、書き込まれた設定情報を設定情報格納領域７４ｂに保管する（ステップＳ３４）。その後、ＣＰＵ７１は、設定情報送信部７１ｃの処理として、設定情報やインストール情報を、出力部としてのデータ通信インターフェース７７等を介してＵＳＢメモリー１４に送信し保管を指示する。ＵＳＢメモリー１４のＣＰＵ１３０は、設定端末１３から受け取った設定情報と設定・投射プログラムのインストール情報とを、指示に応じてフラッシュメモリー１４０中の設定情報格納領域１４４とＣＤ−ＲＯＭ領域１４３とに書き込む（ステップＳ３５）。つまり、設定端末１３のフラッシュメモリー７４に保管された設定情報等がＵＳＢメモリー１４のフラッシュメモリー１４０にコピーされる。
【００５７】
図８（Ｂ）及び８（Ｃ）を参照して、コンピューター１２やプロジェクター１１の動作について説明する。コンピューター１２は、例えばユーザーがＵＳＢメモリー１４をコンピューター１２のデータ通信インターフェース１１５のコネクターに差し込んだ場合、自動的に設定情報の受信・利用処理を開始する。
【００５８】
まず、図８（Ｂ）の動作は、ＵＳＢメモリー１４がコンピューター１２に接続されることによって開始する。ＵＳＢメモリー１４がネットワーク接続に必要な設定情報等と、設定・投射プログラムのインストール情報とを保管する場合、ＵＳＢメモリー１４がコンピューター１２のデータ通信インターフェース１１５に接続されると、コンピューター１２のＣＰＵ８０は、ＵＳＢメモリー１４にインストール情報として格納された自動起動プログラム１４３ｂを自動起動させる（ステップＳ４１）。具体的には、ＣＰＵ８０は、ＵＳＢメモリー１４のＣＰＵ１３０からの認識制御信号を受けて、ＵＳＢメモリー１４が接続されたことを、ＣＤ−ＲＯＭが挿入されたと認識する。そして、ＣＰＵ８０は、ＵＳＢメモリー１４のＣＤ−ＲＯＭ領域１４３に記憶された自動起動スクリプト１４３ａを実行する。この自動起動スクリプト１４３ａでは、自動起動プログラム１４３ｂの実行が指定されるため、ＵＳＢメモリー１４の接続により、自動起動プログラム１４３ｂが自動起動することとなる。自動起動プログラム１４３ｂは、後述するステップＳ４２〜Ｓ４７の処理を実行するためのプログラムである。なお、本実施形態では、ＣＰＵ８０にＣＤ−ＲＯＭと疑似認識させることにより、ＵＳＢメモリー１４のオートラン機能を実現させたが、これに限るものではなく、コンピューター１２が有する何らかのオートラン機能に対応するものであればよい。
【００５９】
自動起動プログラム１４３ｂが自動起動すると、ＣＰＵ８０は、自動起動プログラム１４３ｂに基づき、コンピューター１２とプロジェクター１１との接続に必要な設定処理を行うとともにプロジェクター１１に画像情報を転送して画像を投射させるための設定・投射プログラムが、コンピューター１２に既にインストールされているか否かを判断する（ステップＳ４２）。その結果、設定・投射プログラムがインストールされていなければ（ステップＳ４２：Ｙ）、このままではプロジェクター１１による投射が行えないので、設定・投射プログラムのインストールを実行する（ステップＳ４３）。
【００６０】
一方、設定処理及び投射処理用の設定・投射プログラムがコンピューター１２に既にインストールされている場合には、再度インストールする必要はないため、処理を後述するステップＳ４４に進める。
【００６１】
設定・投射プログラムを実行し、インストールした後、ＣＰＵ８０は、設定・投射プログラムを起動させて（ステップＳ４４）、ＵＳＢメモリー１４の設定情報格納領域１４４に格納された設定情報を、入力部としてのデータ通信インターフェース１１５等を介して取り込むとともに、ハードディスクドライブ８５に記憶させて、通信のための接続を成立させる設定処理（具体的には、ネットワーク通信の設定処理）を行う（ステップＳ４５）。そして、ＣＰＵ８０は、接続部８１の処理として、無線インターフェース１１１により、プロジェクター１１に接続要求を行う（ステップＳ４６）。なお、図示のステップＳ４６における処理の記述中、略語「ＰＪ」はプロジェクターを意味するものとする。
【００６２】
一方、図８（Ｃ）に示すように、プロジェクター１１のＣＰＵ３０は、接続部３４の処理として、コンピューター１２から接続要求があったか否かを判断している（ステップＳ５１）。そして、正当な接続要求を受信すると（ステップＳ５１：Ｙ）、ＣＰＵ３０は、接続部３４の処理として、接続許可を行う（ステップＳ５２）。こうして、コンピューター１２とプロジェクター１１との間には、アドホックモードによる接続関係が成立する。
【００６３】
接続が成立すると、コンピューター１２のＣＰＵ８０は、画像送信部８２の処理として、ユーザーが所望する画像（例えばコンピューター１２のディスプレイ１０７に表示された画像）に対応する画像情報すなわち表示データＤＤをプロジェクター１１に送信する（ステップＳ４７）。
【００６４】
こうして、表示データＤＤが送信されると、プロジェクター１１は、表示データＤＤを受け取って、映像投射部６３を用いて、スクリーンＳＣに表示データＤＤに対応する画像を投射する（ステップＳ５３）。以上で、接続・投射処理は完了となる。
【００６５】
以上の説明では、ＵＳＢメモリー１４を介在させて、設定情報を設定端末１３からプロジェクター１１に送信しているが、ＵＳＢケーブル１５によって設定情報を設定端末１３からプロジェクター１１に送信することもできる。この場合、ＵＳＢケーブル１５を介して設定端末１３がコンピューター１２に接続されると、コンピューター１２のＣＰＵ８０は、設定端末１３の設定情報格納領域７４ｂに追加的に保管された自動起動プログラム（ＵＳＢメモリー１４の自動起動プログラム１４３ｂと同様のもの）を自動起動させる。この自動起動プログラムは、図８（Ｂ）に示すステップＳ４２〜Ｓ４７の処理を実行するものとする。
【００６６】
本実施形態に係る画像表示システム２００によれば、設定端末１３が、プロジェクター１１からプロジェクター１１の通信に関する設定情報を取り込むことができ、コンピューター１２は、データ通信インターフェース１１５等を介して設定端末１３から設定情報を取得するので、コンピューター１２は、設定端末１３を介して取得した設定情報に基づいて、プロジェクター１１との間で接続を簡易に成立させ、延いてはプロジェクター１１との間に通信を簡易に確立することができる。つまり、様々な仕様のコンピューター１２によって準備された画像情報に基づく画像をプロジェクター１１に簡易に投射させることができる。
【００６７】
〔Ｈ．変形例等〕
以上実施形態に即して本発明を説明したが、本発明は、上記の実施形態に限られるものではなく、その要旨を逸脱しない範囲において種々の態様において実施することが可能であり、例えば次のような変形も可能である。
【００６８】
上記実施形態では、情報記録メディアとしてＵＳＢメモリー１４を用いていたが、ＵＳＢメモリー１４は、データの一時的な保管が可能な他の情報記録メディアに置き換えることができ、具体的には、例えばＳＤメモリーカード、メモリースティック、スマートメディア、コンパクトフラッシュ（登録商標）、ＩＣカード等の各種メモリーカードに置き換えることができる。この際、設定端末１３のデータ通信インターフェース７７等は、置換されたメモリーカードに対応するものとする。
【００６９】
上記実施形態では、情報記録メディアのＵＳＢメモリー１４等を介在させて、設定情報を設定端末１３からプロジェクター１１に送信しているが、情報記録メディアのＵＳＢメモリー１４等に代えて、無線又は有線のＬＡＮを利用することもできる。
【００７０】
上記実施形態では、画像表示装置がプロジェクター１１であるとしたが、プロジェクター１１を固定設置型のディスプレイに置き換えて同様の通信機能を持たせることができ、この場合も、コンピューター１２とディスプレイとを簡易に接続してコンピューター１２の画像をディスプレイに簡易に送信して表示させることができる。
【００７１】
上記実施形態では、コンピューター１２が例えばノート型コンピューターであるとしたが、コンピューター１２は、ＤＶＤ、ＢＤ等の各種メディアプレーヤ、スマートフォン等を含む携帯情報端末、ゲーム機等であってもよい。
【００７２】
上記実施形態では、設定端末１３が壁面ＷＡに埋め込むように固定的に設置されているとしたが、壁面ＷＡに着脱可能に取り付けられたリモコン２１に上記実施形態で説明した設定端末１３の機能を組み込むこともできる。また、例えばプロジェクター１１と設定端末１３とをケーブル等で通信可能に接続する場合、設定端末１３を壁面ＷＡに固定しなくても、設定端末１３の紛失等を防止することができる。ただし、設定端末１３が壁面ＷＡ、床等に固定されている方が、ユーザーによる取り扱いの利便性や紛失防止等の観点でより好ましい。
【００７３】
上記実施形態では、設定端末１３がプロジェクター１１から受信した通信に関する設定情報をフラッシュメモリー１４０に保管するとしたが、設定端末１３が設定情報を保管しない処理も可能である。例えば、設定端末１３は、ＵＳＢメモリー１４やＵＳＢケーブル１５の接続を検出したときに、プロジェクター１１に対して通信に関する設定情報の送信を要求することもできる。この場合、設定端末１３は、受け取った設定情報をＵＳＢメモリー１４の設定情報格納領域７４ｂに直接書き込み、或いは受け取った設定情報をＵＳＢケーブル１５を介してそのままコンピューター１２に送信することになる。
【００７４】
上記実施形態では、設定端末１３において、ＵＳＢメモリー１４の取り外しの制限について特に説明していないが、設定端末１３からＵＳＢメモリー１４への情報転送が完了していない場合、設定端末１３においてその旨を警告する表示部を設けることもでき、或いは、設定端末１３からＵＳＢメモリー１４への情報転送が完了した場合、設定端末１３においてその旨を表示する表示部を設けることもできる。
【００７５】
上記実施形態では、コンピューター１２と単一のプロジェクター１１との間で接続を成立させているが、コンピューター１２と複数のプロジェクター１１との間で接続を成立させることもできる。
【００７６】
上記実施形態では、自動起動プログラム１４３ｂを利用して設定・投射プログラムをコンピューター１２にインストールしているが、設定・投射プログラムをＵＳＢメモリー１４からコンピューター１２にダウンロードした後、ユーザーが設定・投射プログラムをコンピューター１２に自らインストールすることもできる。
【符号の説明】
【００７７】
１１…プロジェクター、  １２…コンピューター、  １３…設定端末、  １４…ＵＳＢメモリー、  １５…ＵＳＢケーブル、  ３０…ＣＰＵ、  ３１…設定情報送信部、  ３２…更新監視部、  ３４…接続部、  ４０…ＥＥＰＲＯＭ、  ４３…ＭＡＣアドレス、  ５１…キー入力処理部、  ５４…入力選択部、  ５５…コネクター、  ６１…画像処理部、  ６２…映像出力部、  ６３…映像投射部、  ６７…無線インターフェース、  ６８…ネットワークインターフェース、  ６９…データ通信インターフェース、  ７０…ＣＰＵ、  ７１ａ…設定情報要求部、  ７１ｂ…設定情報書込部、  ７１ｃ…設定情報送信部、  ７３…キー検出部、  ７４…フラッシュメモリー、  ７４ａ…システム領域、  ７４ｂ…設定情報格納領域、  ７５…無線インターフェース、  ７６…ネットワークインターフェース、  ７７…データ通信インターフェース、  ８０…ＣＰＵ、  ８１…接続部、  ８２…画像送信部、  ８５…ハードディスクドライブ、  ９１…入力機構、  １０１…ＶＲＡＭ  、１０３…グラフィックコントローラー、  １０７…ディスプレイ、  １１１…無線インターフェース、  １１３…ネットワークインターフェース、  １１５…データ通信インターフェース、  １２５…データ通信インターフェース、  １３０…ＣＰＵ、  １４０…フラッシュメモリー、  １４２…システム領域、  １４３…ＣＤ−ＲＯＭ領域、  １４３ａ…自動起動スクリプト、  １４３ｂ…自動起動プログラム、  １４４…設定情報格納領域、  １４６…データ格納領域、  ２００…画像表示システム
【図１】
2011123637.tif 000003
【図２】
2011123637.tif 000004
【図３】
2011123637.tif 000005
【図４】
2011123637.tif 000006
【図５】
2011123637.tif 000007
【図６】
2011123637.tif 000008
【図７】
2011123637.tif 000009
【図８】
2011123637.tif 000010